(57)【要約】      （修正有）【課題】圧縮機により近い位置において振動を抑えて、キャビネットから発生する騒音を低減する。【解決手段】アキュームレータ１３を接続する圧縮機１の吸入管１６に、振動吸収部２０が設けられる。振動吸収部２０として、吸入管１６がフレキシブル管とされる。圧縮機１からの振動がフレキシブル管の変位により吸収され、アキュームレータ１３の振動が低減される。圧縮機の近い位置において、振動が抑制される。【選択図】図１
2016050684.tif 000002
【特許請求の範囲】
【請求項１】
キャビネットに、アキュームレータを備えた圧縮機が内装された空気調和機であって、圧縮機とアキュームレータとを接続する配管に、圧縮機からの振動を低減する振動吸収部が設けられたことを特徴とする空気調和機。
【請求項２】
振動吸収部として、配管の一部が可撓管とされたことを特徴とする請求項１記載の空気調和機。
【請求項３】
配管がフレキシブル管とされ、フレキシブル管が振動吸収部を構成することを特徴とする請求項１または２記載の空気調和機。
【請求項４】
空気調和機のキャビネットに内装され、アキュームレータを備えた圧縮機であって、アキュームレータを接続する配管に、圧縮機からの振動を低減する振動吸収部が設けられたことを特徴とする圧縮機。
【請求項５】
振動吸収部として、フレキシブル管が用いられたことを特徴とする請求項４記載の圧縮機。
【発明の詳細な説明】
【技術分野】
【０００１】
本発明は、アキュームレータを備えた圧縮機をキャビネットに内装した空気調和機に関する。
【背景技術】
【０００２】
セパレート型の空気調和機の室外機には、アキュームレータを備えた圧縮機、四方弁、室外熱交換器、膨張弁が内装され、これらが配管により接続される。そして、室外機は、室内熱交換器を内装した室内機に配管により接続される。四方弁に接続されたアキュームレータは、回転駆動される圧縮部に配管により接続される。アキュームレータに流入した冷媒から液状の冷媒が分離され、ガス状の冷媒だけが配管を通って圧縮部に吸い込まれる。
【０００３】
圧縮機が駆動されると、振動が発生する。振動は、配管を介して室外機のキャビネットに伝達され、騒音が外部に発生する。特許文献１には、四方弁と外部接続ポートとの間、および四方弁と室外熱交換器との間に、それぞれフレキシブル管が設けられたことが記載されている。このように、フレキシブル管が室外機での配管固定部分に近い位置に配置され、圧縮機からの振動が室外機での配管固定部分に近い位置で吸収される。
【先行技術文献】
【特許文献】
【０００４】
【特許文献１】特開２００５−１０６３６７号公報
【発明の概要】
【発明が解決しようとする課題】
【０００５】
上記の構造では、四方弁と室内機からの配管が接続される外部接続ポートとの間にフレキシブル管を設けることにより、キャビネットに直接伝わる振動を抑えることができる。しかし、圧縮機から四方弁、さらに四方弁から先のフレキシブル管までの振動は抑えられない。そのため、この間での振動により発生した騒音がキャビネットから外部に漏れ出す。
【０００６】
そこで、本発明は、上記に鑑み、圧縮機により近い位置において振動を抑えて、キャビネットから発生する騒音を低減できる空気調和機の提供を目的とする。
【課題を解決するための手段】
【０００７】
本発明は、キャビネットに、アキュームレータを備えた圧縮機が内装された空気調和機であって、圧縮機とアキュームレータとを接続する配管に、圧縮機からの振動を低減する振動吸収部が設けられたものである。
【０００８】
振動吸収部が圧縮機からの振動を低減して、アキュームレータの振動が抑制される。アキュームレータから先の配管には、振動が伝わらず、キャビネットから発せられる騒音が低減される。
【０００９】
振動吸収部として、配管の一部が可撓管とされる。振動によって可撓管が撓むことにより、配管を伝わる振動が低減される。
【００１０】
配管がフレキシブル管とされ、フレキシブル管が振動吸収部を構成する。圧縮機とアキュームレータとがフレキシブル管によって接続される。圧縮機からの振動により、フレキシブル管が水平方向および上下方向に変位する。フレキシブル管において振動が吸収され、アキュームレータの振動が抑制される。
【発明の効果】
【００１１】
本発明によると、圧縮機に近い位置において、配管を伝わる振動を抑制できるので、振動によって生じる騒音を低減することができる。
【図面の簡単な説明】
【００１２】
【図１】第１実施形態の空気調和機の冷凍サイクルの概略構成図
【図２】圧縮機およびアキュームレータの断面図
【図３】フレキシブル管を示す図
【図４】第２実施形態の空気調和機の冷凍サイクルの概略構成図
【図５】第３実施形態の圧縮機およびアキュームレータの断面図
【発明を実施するための形態】
【００１３】
（第１の実施形態）
本実施形態の空気調和機は、図１に示すように、室外機と室内機とが配管および配線により接続されるセパレート型である。室外機は、圧縮機１、四方弁２、室外熱交換器３、絞り装置４、室外ファン５を備え、これらがキャビネットに内装される。室内機は、室内熱交換器６、室内ファン７を備える。圧縮機１、四方弁２、室外熱交換器３、絞り装置４および室内熱交換器６が複数の配管により接続されて、冷凍サイクルが形成される。なお、絞り装置４として、膨張弁を使用しているが、キャピラリチューブなどを使用してもよい。
【００１４】
そして、空気調和機は、冷凍サイクルを制御して、冷房、暖房、除湿などの空調運転を行う制御装置を備えている。制御装置は、指定された空調運転に応じて、室温や外気温に基づいて圧縮機１の回転、絞り装置４の開度、室外ファン５の回転、室内ファン７の回転をそれぞれ制御する。
【００１５】
図２に示すように、圧縮機１は、ガス状の冷媒を圧縮する圧縮部１０と、圧縮部１０を駆動するモータ１１と、圧縮部１０およびモータ１１を内蔵するケーシング１２とから構成される。そして、圧縮機１は、圧縮部１０に吸入される冷媒から液状の冷媒を分離するアキュームレータ１３を備えている。
【００１６】
ケーシング１２は、室外機のキャビネットに固定される。アキュームレータ１３は、ケーシング１２に取り付けられる。アキュームレータ１３とケーシング１２との間には、緩衝材１４が設けられ、バンドによってアキュームレータ１３がケーシング１２に固定される。圧縮機１の上部に設けられた吐出管１５は、四方弁２に接続される。
【００１７】
アキュームレータ１３とケーシング１２内の圧縮部１０とは吸入管１６によって接続される。吸入管１６はＬ形に形成され、吸入管１６の水平部分がケーシング１２に接続され、垂直部分がアキュームレータ１３に接続される。吸入管１６の水平部分の出口側がケーシング１２内に挿入される。吸入管１６の出口がケーシング１２０内の圧縮部１０に接続される。吸入管１６の垂直部分の入口側がアキュームレータ１３の底面を貫通して上方に延びて、アキュームレータ１３内に挿入される。吸入管１６の入口はアキュームレータ１３の内部空間に臨んでいる。アキュームレータ１３の上面に、四方弁２に接続される連結管１７が設けられる。液状の冷媒が混じったガス状の冷媒が連結管１７を通ってアキュームレータ１３に流入する。液状の冷媒はアキュームレータ１３内に溜まり、ガス状の冷媒は吸入管１６を通って圧縮部１０に吸入される。
【００１８】
圧縮機１が駆動されると、モータ１１が回転して、圧縮部１０が動作する。低温低圧のガス状の冷媒が圧縮されて、吐出管１５から高温高圧のガス状の冷媒が吐き出される。アキュームレータ１３から分離された冷媒が吸込管１６を通じて圧縮部１０に吸い込まれる。この一連の動きによってケーシング１２が振動し、振動が配管を通じて伝搬する。
【００１９】
ここで、図１に示すように、ケーシング１２とアキュームレータ１３とを接続する吸入管１６に、圧縮機１からの振動を低減する振動吸収部２０が設けられる。振動吸収部２０は、可撓性を有する配管とされる。このような可撓管として、図３に示すような金属製のフレキシブル管２１が用いられる。フレキシブル管２１の可撓部２２は、一側に寄って形成され、直管部２３は長く形成される。
【００２０】
このフレキシブル管２１が吸入管１６の一部として使用される。すなわち、フレキシブル管２１の可撓部２２が曲げて使用され、可撓部２２は、吸入管１６の水平部分から垂直部分の下部を構成する。フレキシブル管２１の直管部２３は、吸入管１６の垂直部分を構成する。
【００２１】
圧縮機１が振動すると、フレキシブル管２１の水平部分が水平方向に変位することにより、水平方向の振動が吸収される。また、フレキシブル管２１の垂直部分が上下方向に変位することにより、上下方向の振動が吸収される。これにより、圧縮機１に近い位置にある振動吸収部２０において圧縮機１からの振動が抑制され、アキュームレータ１３およびアキュームレータ１３から先の配管に振動が伝わらないようにできる。したがって、室外機から発する騒音を抑制することができる。
【００２２】
（第２の実施形態）
圧縮機１の吐出管１５は、四方弁２に接続されている。そこで、吐出管１５から伝わる振動を抑制できるように、図４に示すように、圧縮機１と四方弁２との間に振動吸収部２０が設けられる。なお、その他の構成は、第１実施形態と同じである。
【００２３】
四方弁２に接続される吐出管１５の一部がフレキシブル管２１とされる。従来の配管構造では、トラップ部やループ部を設けて、振動吸収を図っていたが、このように、圧縮機１に近い位置において、配管の一部をフレキシブル管２１の可撓管にすることにより、圧縮機１の近い位置において、配管を伝わる振動を抑制できる。そのため、従来の配管構造を不要にでき、配管スペースを小さくできる。
【００２４】
（第３の実施形態）
圧縮機１には、静音性や能力向上のために複数の圧縮部１０を備えた圧縮機１がある。例えば、図５に示すように、圧縮機１のケーシング１２に２つの圧縮部１０が内蔵される。各圧縮部１０とアキュームレータ１３とがそれぞれの吸入管１６により接続される。アキュームレータ１３内に、２本の吸入管１６が挿入される。ここで、各吸入管１６に、フレキシブル管２１が使用される。なお、その他の構成は、第１、第２実施形態と同じである。
【００２５】
以上の通り、本発明の空気調和機は、キャビネットに、アキュームレータ１３を備えた圧縮機１が内装され、圧縮機１とアキュームレータ１３とを接続する配管（吸入管１６）に、圧縮機１からの振動を低減する振動吸収部２０が設けられている。圧縮機１に近い位置にある振動吸収部２０により、圧縮機１からアキュームレータ１３に伝わる振動が低減されるので、アキュームレータ１３から先の配管に伝わる振動を抑制することができる。これにより、キャビネットの振動や騒音を減らすことができる。
【００２６】
振動吸収部２０として、配管の一部が可撓管とされる。これにより、圧縮機１とアキュームレータ１３との間の配管が撓むことにより、圧縮機１からの振動を吸収することができ、アキュームレータ１３の振動を低減できる。
【００２７】
配管がフレキシブル管２１とされ、フレキシブル管２１が振動吸収部２０を構成する。フレキシブル管２１の変位により、圧縮機１からの振動が吸収され、アキュームレータ１３の振動を低減できる。
【００２８】
圧縮機１の吐出側の配管に、振動吸収部２０が設けられる。圧縮機１に接続される吐出側および吸込側の配管に、それぞれ振動吸収部２０を配することにより、配管を通じて圧縮機１からの振動が伝搬することを防止でき、キャビネットからの騒音を抑えることができる。
【００２９】
本発明の圧縮機１は、空気調和機のキャビネットに内装され、アキュームレータ１３を接続する配管に、圧縮機１からの振動を低減する振動吸収部２０が設けられている。そして、振動吸収部２０として、フレキシブル管２１が用いられる。これにより、圧縮機１に近い位置において、圧縮機１からの振動を抑制できる。
【００３０】
なお、本発明は、上記実施形態に限定されるものではなく、本発明の範囲内で上記実施形態に多くの修正および変更を加え得ることは勿論である。空気調和機は、一体型であってもよく、キャビネットに、圧縮機、四方弁、凝縮器、絞り装置、蒸発器が内装される。また、上記の圧縮機は、冷蔵庫、冷凍庫、ヒートポンプ給湯機などに使用してもよい。
【００３１】
振動吸収部２０として、複数の可撓管を組み合わせてもよい。例えば、吸入管１６の水平部分と垂直部分に、それぞれフレキシブル管２１を配する。また、振動吸収部２０として、合成ゴム製の可撓管を用いてもよい。また、振動吸収部２０は、四方弁２と室外熱交換器３とを接続する配管に設けてもよい。
【符号の説明】
【００３２】
１    圧縮機
２    四方弁
３    室外熱交換器
４    絞り装置
５    室外ファン
６    室内熱交換器
７    室内ファン
１０    圧縮部
１２    ケーシング
１３    アキュームレータ
１５    吐出管
１６    吸入管
２０    振動吸収部
２１    フレキシブル管
２２    可撓部
２３    直管部
【図１】
2016050684.tif 000003
【図２】
2016050684.tif 000004
【図３】
2016050684.tif 000005
【図４】
2016050684.tif 000006
【図５】
2016050684.tif 000007